(57)【要約】【課題】紙葉類検出器および紙葉類処理装置を提供すること。【解決手段】本発明の一態様に係る紙葉類検出器は、紙葉類の搬送経路に配置された発光部と、発光部からの光を受光する受光部と、搬送経路の上下の少なくとも一方に配置され、発光部からの光を受光部へと導入する反射部と、を具備する。【選択図】図１
2011053914.tif 000002
【特許請求の範囲】
【請求項１】
紙葉類の搬送経路に配置された発光部と、
前記発光部からの光を受光する受光部と、
前記搬送経路の上下の少なくとも一方に配置され、前記発光部からの光を前記受光部へと導入する反射部と、
を具備することを特徴とする紙葉類検出器。
【請求項２】
紙葉類を搬送経路へ取り込む取込ローラと、
前記搬送経路上に配置され、取り込まれた紙葉類を搬送する搬送ローラと、
前記搬送経路に配置された発光部、前記発光部からの光を受光する受光部、および前記搬送経路の上下の少なくとも一方に配置され前記発光部からの光を前記受光部へと導入する反射部、を有する紙葉類検出部と、
前記紙葉類検出部で検出された紙葉類を振り分ける振り分け部と、
前記振り分け部で振り分けられた紙葉類が積載されるスタッカ部と、
を具備することを特徴とする紙葉類処理装置。
【発明の詳細な説明】
【技術分野】
【０００１】
本発明は、各種帳票や各種用紙などの紙葉類の存在の有無を検出する紙葉類検出器、および該紙葉類検出器を具備する紙葉類処理装置に関する。
【背景技術】
【０００２】
従来の紙葉類検出器は、発光部および受光部を有する透過型の光センサを用いて、搬送される各種帳票や各種用紙等（以下、統一して帳票と呼ぶ）の有無を検出していた（特許文献１参照）。帳票の搬送経路の上下に発光部、受光部が配置され、発光部から受光部に出力される光が搬送された帳票によって遮断されると帳票の存在（有無）を検出する。
【先行技術文献】
【特許文献】
【０００３】
【特許文献１】特開平８−１５７０８４号公報
【発明の開示】
【発明が解決しようとする課題】
【０００４】
しかしながら、破れ等による穴が存在する帳票がセンサ上を通過すると、帳票が発光部からの光を遮ることが出来ず、帳票が存在しないと判定したり、１枚の帳票を２枚と判定する等の問題が発生する。
本発明は、かかる従来の問題を解決するためになされたもので、穴のある帳票でも、該帳票の有無を検出できる紙葉類検出器および紙葉類処理装置を提供することを目的とする。
【課題を解決するための手段】
【０００５】
本発明の一態様に係る紙葉類検出器は、紙葉類の搬送経路に配置された発光部と、発光部からの光を受光する受光部と、搬送経路の上下の少なくとも一方に配置され、発光部からの光を受光部へと導入する反射部と、を具備する。
【０００６】
本発明の一態様に係る紙葉類処理装置は、紙葉類を搬送経路へ取り込む取込ローラと、搬送経路上に配置され、取り込まれた紙葉類を搬送する搬送ローラと、搬送経路に配置された発光部、発光部からの光を受光する受光部、および搬送経路の上下の少なくとも一方に配置され発光部からの光を受光部へと導入する反射部、を有する紙葉類検出部と、紙葉類検出部で検出された紙葉類を振り分ける振り分け部と、振り分け部で振り分けられた紙葉類が積載されるスタッカ部と、を具備する。
【発明の効果】
【０００７】
本発明によれば、穴のある帳票でも、該帳票の有無を検出できる紙葉類検出器および紙葉類処理装置を提供することを目的とする。
【図面の簡単な説明】
【０００８】
【図１】第１の実施形態に係る紙葉類処理装置の構成を示す図である。
【図２】第１の実施形態に係る紙葉類処理装置の制御系を示すブロック図である。
【図３Ａ】第１の実施形態に係る帳票検出部の構成を示す側面図である。
【図３Ｂ】第１の実施形態に係る帳票検出部の構成を示す平面図である。
【図３Ｃ】第１の実施形態に係る帳票検出部の動作を説明する図である。
【図３Ｄ】第１の実施形態に係る帳票検出部の動作を説明する図である。
【図４Ａ】比較例に係る帳票検出部の構成を示す側面図である。
【図４Ｂ】比較例に係る帳票検出部の動作を説明する図である。
【図４Ｃ】比較例に係る帳票検出部の動作を説明する図である。
【図５】その他の実施形態に係る紙葉類処理装置の構成を示す図である。
【発明を実施するための最良の形態】
【０００９】
以下、図面を参照して、本発明の実施の形態を詳細に説明する。
（第１の実施形態）
図１は、第１の実施形態に係る紙葉類処理装置１の構成を示す図である。図２は、紙葉類処理装置１の制御系を示すブロック図である。紙葉類処理装置１は、ホッパ１１、取込ローラ１２、搬送経路１３、搬送ローラ１４、帳票検出部１５（紙葉類検出器）、帳票読取部１６、分岐ゲート１７（振り分け部）、排出ローラ１８、スタッカ部１９、制御部２１、および図示しない各部の駆動部等を備え、ホッパ１１に積載された帳票Ａを読みとり、読みとった画像データ（イメージファイル）を制御ホスト２００へ転送する。
【００１０】
ホッパ１１上には、読み取りの対象である帳票Ａ（帳票束）が積載される。ホッパ１１は、積載された帳票Ａが所定の位置（取込ローラ１２の取込位置）となるまで上方へ移動する。ホッパ１１は、積載された帳票Ａが取込ローラ１２により搬送経路１３へ取り込まれると、積載された帳票Ａが所定の位置となるよう上方向へ駆動される。取込ローラ１２は、回転動作により、ホッパ１１上に積載された帳票Ａを所定の間隔で搬送経路１３へ取り込む。搬送経路１３は、取込ローラ１２により取り込まれた帳票Ａをスタッカ部１９まで搬送する経路である。
【００１１】
搬送ローラ１４は、搬送経路１３上に複数配置される。搬送ローラ１４は、駆動ローラと従動ローラとを備え、この紙葉類処理装置１で処理される帳票Ａのうち最も小さい大きさ（最小サイズ）の帳票Ａを搬送できる間隔で搬送経路１３上に配置される。搬送ローラ１４が回転動作すると、駆動ローラと従動ローラとの間を帳票Ａが搬送される。搬送ローラ１４は、帳票Ａを順次指定されたスタッカ部１９に搬送する。どのスタッカ部１９に排出するかは、例えば、帳票読取部１６で読み取られた画像の認識処理結果に基づいて決定される。
【００１２】
帳票検出部１５は、搬送経路１３上、および分岐ゲート１７の後段にそれぞれ配置され、帳票Ａを検出する。帳票検出部１５は、発光部および受光部を有する光センサである。発光部からの赤外光を受光部で受光することで帳票Ａの存在の有無を検出する。帳票検出部１５については、図３Ａないし３Ｄを参照して後述する。
【００１３】
帳票読取部１６は、搬送経路１３上を搬送される帳票Ａを読みとる（スキャンする）。読みとった画像データは、イメージファイルとして制御ホスト２００に転送される。分岐ゲート１７は、搬送経路１３と各スタッカ部１９との分岐位置に設けられている。分岐ゲート１７は駆動機構としてロータリーソレノイドを持ち、ソレノイドに流す電流をドライバ３８で制御することにより、軸を中心にその先端部が２点の位置間で可動する構造になっている。分岐ゲート１７は、先端部が移動した位置に応じて搬送されてくる帳票Ａの搬送方向を切り替えるためのゲート機能を持つ。
【００１４】
排出ローラ１８は、分岐ゲート１７の後段に設けられる。排出ローラ１８は、一方向に回転し、分岐ゲート１７で振り分けられた帳票Ａをスタッカ部１９に排出する。スタッカ部１９には、排出ローラ１８により排出された帳票Ａが積載される。
【００１５】
制御部２１は、制御ホスト２００からの指示に基づいて、紙葉類搬送装置１の動作を制御する。制御部２１は、ホッパ１１、取込ローラ１２、搬送経路１３、搬送ローラ１４、帳票検出部１５、帳票読取部１６、分岐ゲート１７、排出ローラ１８、および図示しない各部の駆動部等を制御して、ホッパ１１に積載された帳票Ａの画像を読みとり、スタッカ部１９へと搬送する。
【００１６】
制御部２１は、ＣＰＵ（Central Processing Unit）２１ａ、ＲＯＭ（Read Only Memory）２１ｂ、ＲＡＭ（Random Access Memory）２１ｃ、ＮＶＲＡＭ（Non Volatile RAM）２１ｄなどを具備する。ＲＯＭ２１ｂは、ＣＰＵ２１ａの動作コードを格納する。ＲＡＭ２１ｃは、ＣＰＵ２１ａの作業領域として使用される。ＮＶＲＡＭ２１ｄは、紙葉類搬送装置１０の制御に必要なプログラム（ファームウェア）等を保持する。ＣＰＵ２１ａは、ＮＶＲＡＭ２１ｄに保持されているファームウェアをＲＡＭ２１ｃにロードして実行することにより紙葉類処理装置１を制御する。
【００１７】
制御ホスト２００は、文字認識のアプリケーションソフトウェアプログラムを実装する。そして、帳票Ａから読み取られた画像の文字認識処理結果に基づいて、帳票Ａの排出先のスタッカ指定が、読み取り処理された帳票Ａ毎に行われるように、制御部２１に指示を与える。この指示に基づいて、制御部２１が各種ドライバの動作制御を行なう。なお、制御部２１が、この文字認識のアプリケーションソフトウェアプログラムを実装して、上述した画像の認識処理を行なうようにすることも可能である。
【００１８】
図３Ａ，３Ｂは、それぞれ第１の実施形態に係る帳票検出部１５の構成を示す側面図および平面図である。帳票検出部１５は、発光部１５ａ、受光部１５ｂ、反射部１５ｃ，１５ｄを具備する。発光部１５ａは、赤外光Ｉを発光する。反射部１５ｃ，１５ｄは、発光部１５ａから発光された赤外光Ｉを受光部１５ｂへと導入する鏡である。反射部１５ｃ，１５ｄは、それぞれ搬送経路１３の上下に搬送経路１３を挟むように対向して配置される。受光部１５ｂは、発光部１５ａからの赤外光Ｉを受光する。発光部１５ａから発光された赤外光Ｉは、反射部１５ｃ，１５ｄの間を複数回反射した後、受光部１５ｂへ導入される。
【００１９】
発光部１５ａは、制御部２１の制御により赤外光Ｉを発光する。受光部１５ｂは、発光部１５ａからの赤外光Ｉを受光すると信号を制御部２１へ入力する。制御部２１は、受光部１５ｂから入力される信号により帳票Ａの有無を検出する。具体的には、制御部２１は、受光部１５ｂから信号が入力されると帳票Ａ無し、受光部１５ｂから信号が入力されないと帳票Ａ有り、と判定する。
【００２０】
発光部１５ａと受光部１５ｂは、配置位置が逆であってもよい。受光部１５ｂは、発光部１５ａからの赤外光Ｉを受光していない場合に信号を制御部２１へ入力するよう構成してもよい。この場合、制御部２１は、受光部１５ｂから信号が入力されると帳票Ａ有り、受光部１５ｂから信号が入力されないと帳票Ａ無し、と判定する。
【００２１】
さらに、反射部１５ｃ，１５ｄのいずれか一方のみを配置し、発光部１５ａからの赤外光Ｉを受光部１５ｂへ導入するように構成してもよい。この場合、発光部１５ａからの赤外光Ｉは、反射部１５ｃまたは反射部１５ｄで一度だけ反射して、受光部１５ｂへ導入される。
【００２２】
図３Ｃ，３Ｄは、第１の実施形態に係る帳票検出部１５の動作を説明する図である。
図３Ｃ，３Ｄに示すように、帳票Ａに破れ等による穴Ｂが存在する場合であっても、帳票検出部１５は、発光部１５ａから発光された赤外光Ｉを反射部１５ｃ，１５ｄで複数回反射させた後、受光部１５ｂへ導入しているので、発光部１５ａから発光された赤外光Ｉは、反射部１５ｃ，１５ｄで反射させる過程で帳票Ａにより遮られる（遮光される）。
【００２３】
（比較例）
図４Ａは、比較例に係る帳票検出部２５の構成を示す側面図である。帳票検出部２５は、発光部２５ａ、受光部２５ｂを具備する。発光部２５ａ，受光部２５ｂは、それぞれ搬送経路１３の上下に搬送経路１３を挟むように対向して配置される。発光部２５ａは、赤外光Ｉを発光する。受光部２５ｂは、発光部２５ａからの赤外光Ｉを受光する。なお、この比較例の場合、図３Ａ，３Ｂで説明した帳票検出部１５と異なり、反射部１５ｃ，１５ｄを具備しない。
【００２４】
発光部２５ａは、図示しない制御部の制御により赤外光Ｉを発光する。受光部２５ｂは、発光部２５ａからの赤外光Ｉを受光すると信号を制御部へ入力する。制御部は、受光部２５ｂから入力される信号により帳票Ａの有無を検出する。具体的には、制御部は、受光部２５ｂから信号が入力されると帳票Ａ無し、受光部２５ｂから信号が入力されないと帳票Ａ有り、と判定する。
【００２５】
図４Ｂ，４Ｃは、比較例に係る帳票検出部２５の動作を説明する図である。
図４Ｂに示すように、帳票Ａに破れ等による穴Ｂが存在する場合、この穴Ｂが帳票検出部２５の発光部２５ａと受光部２５ｂとの間を通過すると、発光部２５ａから発光された赤外光Ｉが帳票Ａで遮光されずに受光部２５ｂで受光される。このため、制御部は、帳票Ａが存在しないと判定したり、１枚の帳票Ａを２枚と判定してしまう。
【００２６】
以上のように、この第１の実施形態に係る紙葉類処理装置１の帳票検出部１５は、発光部１５ａから発光された赤外光Ｉを、それぞれ搬送経路１３の上下に搬送経路１３を挟むように対向して配置された反射部１５ｃ，１５ｄで複数回反射させた後、受光部１５ｂと導入している。
【００２７】
このため、破れ等による穴が存在する帳票Ａが搬送経路１３上に配置された帳票検出部１５を通過した場合でも、発光部１５ａから発光された赤外光Ｉは、反射部１５ｃ，１５ｄで反射させる過程で帳票Ａにより遮光される。その結果、帳票Ａが存在しないと判定したり、１枚の帳票Ａを２枚と判定することを効果的に抑制できる。
【００２８】
（その他の実施形態）
なお、本発明は上記実施形態そのままに限定されるものではなく、実施段階ではその要旨を逸脱しない範囲で構成要素を変形して具体化できる。例えば、図５に示すように、取込ローラ１２の最も近くに帳票検出部１５を配置し、その他の搬送経路１３上、および分岐ゲート１７の後段に帳票検出部２５を配置する。帳票Ａが搬送されると、一番初めに帳票検出部１５で帳票Ａが検出される。この際、帳票検出部１５からの信号の入力時間を計測する（以下、検出時間）。
【００２９】
その後、帳票Ａは、搬送経路１３上に配置された帳票検出部２５でも検出されるが、この際に、帳票検出部１５で計測した検出時間を使用して、帳票Ａを検出する。具体的には、制御部２１は、帳票検出部１５から信号が入力されると、先に計測した検出時間内は、帳票検出部１５からの信号入力の有無を検出しない。そして、検出時間経過後に、再度帳票検出部１５からの信号入力の有無の検出を開始する。
【００３０】
このように構成すれば、帳票Ａの穴Ｂが帳票検出部２５の発光部２５ａと受光部２５ｂとの間を通過した場合でも、帳票Ａが存在しないと判定したり、１枚の帳票Ａを２枚と判定することを効果的に防止できる。さらに込ローラ１２の最も近い帳票検出部だけを帳票検出部１５として、その他の帳票検出部を帳票検出部２５としたので、第１の実施形態に係る紙葉類処理装置１に比べて安価に構成できる。
【符号の説明】
【００３１】
１…紙葉類処理装置、１１…ホッパ、１２…取込ローラ、１３…搬送経路、１４…搬送ローラ、１５…帳票検出部、１６…読取部、１７…分岐ゲート、１８…排出ローラ、１９…スタッカ部、２１…制御部、２００…制御ホスト。
【図１】
2011053914.tif 000003
【図２】
2011053914.tif 000004
【図３Ａ】
2011053914.tif 000005
【図３Ｂ】
2011053914.tif 000006
【図３Ｃ】
2011053914.tif 000007
【図３Ｄ】
2011053914.tif 000008
【図４Ａ】
2011053914.tif 000009
【図４Ｂ】
2011053914.tif 000010
【図４Ｃ】
2011053914.tif 000011
【図５】
2011053914.tif 000012